(57)【要約】【課題】櫛歯の内部を簡便に確実に洗浄することのできる毛髪化粧料の塗布具を提供する。【解決手段】毛髪化粧料の収容容器に取り付けられる塗布具１Ａが、毛髪化粧料の流路１２と吐出孔１３が形成された櫛歯１１が列設した櫛部１０、櫛部１０が着脱自在に嵌着し、内部に毛髪化粧料の流路３１ａ、３１ｂを有する基部３０、及び櫛部１０と基部３０の間に設けられ、櫛歯１１内の流路１２に挿入される突起２２Ａが形成された櫛歯内突起部２０からなる。【選択図】図１
2005185578.tif 000002
【特許請求の範囲】
【請求項１】
毛髪化粧料の収容容器に取り付けられる塗布具であって、
毛髪化粧料の流路と吐出孔が形成された櫛歯が列設した櫛部、
櫛部が着脱自在に嵌着し、毛髪化粧料の流路を有する基部、及び
櫛部と基部の間に設けられ、櫛歯内の流路に挿入される突起が形成された櫛歯内突起部
からなる塗布具。
【請求項２】
櫛歯内突起部の突起に、毛髪化粧料の流路となるスリットが形成されている請求項１記載の塗布具。
【請求項３】
櫛歯内突起部が、基部に固定されている請求項１又は２記載の塗布具。
【請求項４】
櫛歯内突起部が、櫛部と基部に着脱自在に嵌着される請求項１又は２記載の塗布具。
【請求項５】
毛髪化粧料が収容された容器と、請求項１〜４のいずれかに記載の塗布具からなる毛髪化粧料塗布用具。
【発明の詳細な説明】
【技術分野】
【０００１】
本発明は、染毛剤等の毛髪化粧料を毛髪に塗布する塗布具に関する。
【背景技術】
【０００２】
吐出孔付の櫛歯を備えた塗布具を、毛髪化粧料を収容した可撓性樹脂容器に装着し、容器を押圧することにより塗布具の櫛歯から毛髪化粧料を吐出させられるようにした塗布具が知られている（特許文献１）。
【０００３】
このような塗布具を塗布終了後に洗浄し、繰り返し使用する場合、櫛歯の内部までは洗浄しにくいため、次回の使用時までに目詰まりが生じ、毛髪化粧料を吐出させることができないことがある。
【０００４】
これに対し、塗布具にスポイト状の洗浄用具を取り付け、塗布具を水中に沈めて洗浄用具の押圧とその解除を繰り返し、櫛歯の内部から水流で塗布具を洗浄することが提案されている（特許文献２）。
【０００５】
【特許文献１】実開昭５０−１２６４７８号公報
【特許文献２】特開平９−２８４４６号公報
【発明の開示】
【発明が解決しようとする課題】
【０００６】
しかしながら、スポイト状の洗浄用具を使用する方法では、毛髪化粧料の塗布具と別個に洗浄用具を揃えなくてはならず、煩雑である。
【０００７】
また、洗浄時に、既に目詰まりを起こしている櫛歯があると、水流は、目詰まりをおこしていない櫛歯に集中するので、全ての櫛歯の洗浄を確実に行うことが難しい。
【０００８】
これに対して、本発明は、櫛歯の内部を簡便に確実に洗浄することのできる毛髪化粧料の塗布具を提供することを目的とする。
【課題を解決するための手段】
【０００９】
本発明者は、毛髪化粧料の収容容器に取り付けられる塗布具を、毛髪化粧料の吐出孔を有する櫛歯が列設した櫛部と、その櫛部が着脱自在に嵌着される基部から形成し、さらに、櫛部と基部の間に形成される流路空間内に、櫛歯内の流路の洗浄用具として使用できる櫛歯内突起部を設けると、簡便に確実に塗布具を洗浄できることを見出した。
【００１０】
即ち、本発明は、毛髪化粧料の収容容器に取り付けられる塗布具であって、
毛髪化粧料の流路と吐出孔が形成された櫛歯が列設した櫛部、
櫛部が着脱自在に嵌着し、毛髪化粧料の流路を有する基部、及び
櫛部と基部の間に設けられ、櫛歯内の流路に挿入される突起が形成された櫛歯内突起部
からなる塗布具を提供する。
【００１１】
また、本発明は、毛髪化粧料が収容された容器と上述の塗布具からなる毛髪化粧料塗布用具を提供する。
【発明の効果】
【００１２】
本発明の塗布具は、櫛部と、櫛部が着脱自在に嵌着される基部との間に形成される流路空間に、櫛歯内突起部を有し、この櫛歯内突起部には、櫛歯内の流路に挿入される突起が形成されている。したがって、塗布具の洗浄時には、櫛部を基部から取り外し、水中で、櫛歯内突起部の突起を櫛部の櫛歯内の流路に出し入れすることを繰り返すことにより、簡便に確実に櫛歯内の流路まで洗浄することが可能となる。
【００１３】
さらに、本発明の塗布具は、櫛部の洗浄具となる櫛歯内突起部を、櫛部と基部との間に収容した状態で毛髪化粧料を吐出させることができるため、櫛部の洗浄用具を塗布具と別個に用意することが不要であり、洗浄用具を紛失するおそれも解消する。
【発明を実施するための最良の形態】
【００１４】
以下、図面を参照しつつ、本発明を詳細に説明する。なお、各図中、同一符号は同一又は同等の構成要素を表している。
【００１５】
図１は、本発明の一実施例の塗布具１Ａの構成部品の斜視図であり、図２はその組立方法の説明図であり、図３は組み立てた状態の塗布具１Ａの斜視図であり、図４はその断面図である。
【００１６】
この塗布具１Ａは、櫛部１０、櫛歯内突起部２０及び基部３０を着脱自在に組み立てることにより構成される。
【００１７】
櫛部１０は、先端部が突出した板状の櫛歯１１が、その厚み方向に列設したものからなり、各櫛歯１１の内部には、毛髪化粧料の流路１２が形成されており、その開口端として各櫛１１歯の対向面に吐出孔１３が形成されている。
【００１８】
基部３０は、櫛部１０が着脱自在に嵌着するように形成されており、内部には櫛部１０の長手方向に延びた毛髪化粧料の流路３１ａを有する。櫛部１０を基部３０に嵌着させた状態において、各櫛歯１１の流路１２に対応する位置に凸部３２が形成されており、この凸部３２には、櫛部の流路１２と基部の流路３１ａを連通させる流路３１ｂが形成されている。また、基部３０には、櫛部１０を嵌着させた状態において、吐出孔１３を有する櫛歯１１列の両側に、吐出孔のない櫛歯３３が櫛部１０の櫛歯１１に平行に起立している。
【００１９】
櫛歯内突起部２０は、櫛部１０又は基部３０に着脱自在に嵌着するように形成されている。櫛歯内突起部２０には、基部３０に嵌着させた状態において、基部３０の凸部３２が突出するように開口２１が形成されており、この開口２１を跨ぐように板状の突起２２Ａが形成されている。突起２２Ａの外形は、櫛歯内突起部２０を基部３０に嵌着させることにより櫛歯１１内に突起２２Ａを挿入した場合に、櫛歯１１内の流路１２と隙間無く嵌合するように形成されている。また、突起２２Ａ内には毛髪化粧料の流路となるスリット２３が形成されており、この流路２３は、櫛歯内突起部２０と櫛部１０を基部３０に嵌着させた場合に、基部３０の流路３１ｂと櫛歯１１の吐出孔１３を連通させるものとなっている。
【００２０】
この塗布具１Ａの使用方法としては、まず、図１に矢印Ａで示したように、櫛歯内突起部２０を基部３０に押し込むことにより嵌着して図２に示したように櫛歯内突起部２０と基部３０の嵌着体４０Ａを形成し、この嵌着体４０Ａに、図２に矢印Ｂで示したように、櫛部１０を押し込んで嵌着させ、図３に示したように塗布具１Ａを得る。
【００２１】
この塗布具１Ａは、種々の毛髪化粧料の収容容器に取り付けて使用する。例えば、図１０（ａ）に示したように、エアゾール容器５０のステム５１を押圧して内容物を吐出させる釦５２に塗布具１Ａを取り付け、毛髪化粧料塗布用具２Ａを構成する。なお、同図において符号５３は、エアゾールバルブから容器内の底部近傍に延びたディップチューブを表している。
【００２２】
この毛髪化粧料塗布用具２Ａによれば、釦５２をエアゾール容器５０側に押し込むと、エアゾール容器５０内の収容されていた毛髪化粧料が基部３０の流路３１ａ、３１ｂを通って櫛歯１１内に流入する。櫛歯１１内では流路１２と櫛歯内突起部２０の突起２２Ａが嵌合しているので、櫛歯１１内に流入した毛髪化粧料は、櫛歯１１に形成された流路１２全体ではなく、流路１２内のうち突起２２Ａのスリット２３部分を通り、吐出孔１３から吐出する。そこで、塗布具１Ａで毛髪を梳くことにより、吐出された毛髪化粧料を毛髪に塗布する。
【００２３】
なお、この塗布具１Ａは、毛髪化粧料の吐出あるいは塗布時に、櫛歯内突起部２０を基部３０と櫛部１０の間に嵌着させた状態で使用できるようにしたものであるが、例えば、毛髪化粧料が高粘度で細いスリット２３を通り難い等の場合には、櫛歯内突起部２０を取り外して塗布具１Ａを使用してもよい。
【００２４】
毛髪化粧料の塗布が終了した後は、図１０（ｂ）に示すように、釦５２に取り付けられた塗布具１Ａをエアゾール容器５０から取り外して水で洗浄する。この際、同図（ｃ）に示したように、櫛部１０を基部３０から取り外し、櫛歯内突起部２０を水流で洗ったり、櫛歯内突起部２０の突起２２Ａを櫛歯１１の流路内に出し入れすることにより、櫛歯１１内部も確実に洗浄することが可能となる。さらに、塗布具１Ａの洗浄時には、必要に応じて櫛歯内突起部２０も基部３０から取り外して洗浄してもよい。
【００２５】
本発明の塗布具は、種々の態様をとることができる。例えば、上述の塗布具１Ａにおいて、櫛歯内突起部２０は基部３０に固定させてもよい。
【００２６】
また、図５に示す塗布具１Ｂのように、櫛歯内突起部２０において、塗布具１Ｂの先端側の突起２２Ａにはスリット２３を形成するが、毛髪化粧料の収容容器側の突起２２Ａにはスリット２３を形成しなくてもよい。突起２２Ａにスリット２３が無いと、この突起２２Ａが挿入される櫛歯１１では流路が塞がれることとなり、毛髪化粧料が吐出しないため、スリット２３のある先端側の櫛歯１１のみから毛髪化粧料が吐出されることになる。したがって、この塗布具１Ｂは細かな部分の染毛に適したものとなる。
【００２７】
図６は、さらに異なる本発明の塗布具１Ｃの構成部品の斜視図であり、図７はその組立方法の説明図であり、図８は組立状態の斜視図であり、図９はその断面図である。
【００２８】
この塗布具１Ｃも、毛髪化粧料の流路１２と吐出孔１３を有する櫛歯１１が厚み方向に列設した櫛部１０と、櫛歯１０の流路１２内に挿入される突起２２Ｂを有する櫛歯内突起部２０と、櫛部１０及び櫛歯内突起部２０が着脱自在に嵌着する基部３０からなっているが、櫛部１０と櫛歯内突起部２０との嵌着体４０Ｂと基部３０とはスライドにより着脱できるようになっている。
【００２９】
櫛歯内突起部２０の突起２２Ｂの外形は、櫛歯内突起部２０を櫛部１０に嵌着させて突起２２Ｂを櫛歯１１内に挿入した場合に、櫛歯１１の流路１２と隙間無く嵌合するものではなく、突起２２Ｂの周りに余剰空間ができるように棒状に形成されている。また、突起２２Ｂは、櫛歯内突起部２０を櫛部１０に嵌着させて櫛歯１１内に挿入した場合に、その先端が吐出孔１３の近傍に位置する長さに形成されている。櫛歯内突起部２０は、その内部に、塗布具１Ｃの長手方向に延びた流路２４を有し、突起２２Ｂの基部には流路２４と連通する連通孔２５が形成されている。
【００３０】
基部３０は、櫛部１０と櫛歯内突起部２０が嵌着される部分において、上面が開口したＵ字溝状になっている。
【００３１】
この塗布具１Ｃの使用方法としては、まず図６に矢印Ｃで示したように、櫛歯内突起部２０を櫛部１０に押し込むことにより嵌着して図７に示したように櫛歯内突起部２０と基部３０の嵌着体４０Ｂを形成し、この嵌着体４０Ｂを図７に矢印Ｄで示したように、基部３０にスライドさせて嵌着させ、塗布具１Ｃを得る。
【００３２】
この塗布具１Ｃも種々の毛髪化粧料の収容容器に取り付けて使用することができる。塗布具１Ｃの使用時において、毛髪化粧料の収容容器から吐出された毛髪化粧料は、基部３０の流路３１、櫛歯内突起部２０の流路２４、連通孔２５を通って櫛歯１１内に入る。櫛歯内では、毛髪化粧料は、櫛歯内の流路１２の内壁と突起２２Ｂとの隙間を通り、吐出孔１３から吐出される。そこで、塗布具１Ｃで毛髪を梳くことにより、吐出された毛髪化粧料を毛髪に塗布する。
【００３３】
毛髪化粧料の塗布が終了した後には、櫛歯内突起部２０と櫛部１０との嵌着体４０Ｂを基部３０から引き出すようにして取り外し、さらに、櫛歯内突起部２０を櫛部１０から取り外し、櫛歯内突起部２０の突起２２Ｂを用いて櫛歯１１内を水で洗浄する。
【００３４】
本発明の塗布具は、それを取り付ける収容容器もエアゾール容器に限らず、スクイズ容器、ポンプ容器など種々の吐出機構の容器とすることができる。さらに、収容容器は、外形を保持する外容器と、内容物の吐出に応じて内容積が収縮する可撓性樹脂製の内容器との二重容器とすることができる。例えば、図１１に示す毛髪化粧料塗布具２Ｂのように、本発明の塗布具１Ａを取り付けるスクイズ容器５４として、押圧により変形するが、押圧を解除することにより元の形状に復元する外容器５５と、内容器５６からなる二重容器を使用することができる。容器の口部を蓋するキャップ５８には、同図内の拡大図に示すように、通気孔５７を形成し、外気を外容器５５と内容器５６との間に流入させる吸入弁５９を設け、内容器５６内の毛髪化粧料を塗布具１Ａ側に吐出させる吐出弁６０を設けることが好ましい。これにより、ディップチューブが不要となり、毛髪化粧料塗布具２Ｂを正立状態でも倒立状態でも使用することが可能となる。また、一旦塗布具１Ａに吐出された毛髪化粧料がスクイズ容器５４内へ戻ることを妨げ、容器内の毛髪化粧料の汚染を防止することができる。
【００３５】
なお、本発明の塗布具あるいは毛髪化粧料塗布用具で吐出させる毛髪化粧料には、特に制限はないが、これらは、使用後に塗布具の洗浄が必要とされる、酸性染料を用いたヘアマユキュア、二剤を同時に吐出する染毛剤や脱色剤、一時的に着色する毛髪着色剤等の染毛剤の吐出に好ましく使用することができる。
【産業上の利用可能性】
【００３６】
本発明の塗布具あるいは毛髪化粧料吐出用具は、種々の毛髪化粧料を吐出し塗布する用具として使用することができる。
【図面の簡単な説明】
【００３７】
【図１】塗布具１Ａの構成部品の斜視図である。
【図２】塗布具１Ａの組立方法の説明図である。
【図３】塗布具１Ａの斜視図である。
【図４】塗布具１Ａの断面図である。
【図５】塗布具１Ｂの断面図である。
【図６】塗布具１Ｃの構成部品の斜視図である。
【図７】塗布具１Ｃの組立方法の説明図である。
【図８】塗布具１Ｃの斜視図である。
【図９】塗布具１Ｃの断面図である。
【図１０】毛髪化粧料塗布用具の使用方法の説明図である。
【図１１】毛髪化粧料塗布用具の斜視図と部分断面拡大図である。
【符号の説明】
【００３８】
１Ａ、１Ｂ、１Ｃ    塗布具
２Ａ、２Ｂ    毛髪化粧料塗布用具
１０    櫛部
１１    櫛歯
１２    流路
１３    吐出孔
２０    櫛歯内突起部
２１    開口
２２Ａ、２２Ｂ    突起
２３    スリット
２４    流路
２５    連通孔
３０    基部
３１、３１ａ、３１ｂ    流路
３２    凸部
３３    櫛歯
４０Ａ、４０Ｂ    嵌着体
５０    エアゾール容器
５１    ステム
５２    釦
５３    ディップチューブ
５４    スクイズ容器
５５    外容器
５６    内容器
５７    通気孔
５８    キャップ
５９    吸入弁
６０    吐出弁
【図１】
2005185578.tif 000003
【図２】
2005185578.tif 000004
【図３】
2005185578.tif 000005
【図４】
2005185578.tif 000006
【図５】
2005185578.tif 000007
【図６】
2005185578.tif 000008
【図７】
2005185578.tif 000009
【図８】
2005185578.tif 000010
【図９】
2005185578.tif 000011
【図１０】
2005185578.tif 000012
【図１１】
2005185578.tif 000013